(57)【要約】【課題】モバイルルータのバッテリにかかる負荷を低減させる。【解決手段】ＭＲ１００が、アクセスポイント設定情報をＨＧＷ２００へ通知し、ＨＧＷ２００が、当該アクセスポイント設定情報を用いて、アクセスポイントとして動作を開始し、動作開始通知をＭＲ１００へ通知し、ＭＲ１００が、ＨＧＷ２００から動作開始通知を受けると、アクセスポイントとしての動作を停止し、ＭＲ１００の電源をスリープ状態にする。【選択図】図１
2014090304.tif 000002
【特許請求の範囲】
【請求項１】
ホームゲートウェイとモバイルルータと無線ＬＡＮ（Ｌｏｃａｌ  Ａｒｅａ  Ｎｅｔｗｏｒｋ）通信端末とを有する通信システムにおいて、
前記モバイルルータは、
当該モバイルルータが前記無線ＬＡＮ通信端末に対してアクセスポイントとして動作している場合、前記アクセスポイントとして動作するために必要なアクセスポイント設定情報を前記ホームゲートウェイへ通知する設定情報通知部と、
前記ホームゲートウェイから前記アクセスポイントとして動作を開始した旨を示す動作開始通知を受けると、前記アクセスポイントとしての動作を停止する第１のＡＰ動作管理部と、
前記ホームゲートウェイから前記動作開始通知を受けると、当該モバイルルータの電源をスリープ状態にする電源管理部とを有し、
前記ホームゲートウェイは、
前記設定情報通知部から、前記アクセスポイント設定情報が通知されると、該アクセスポイント設定情報を用いて、前記モバイルルータの代替となる前記アクセスポイントとして動作を開始する第２のＡＰ動作管理部と、
前記第２のＡＰ動作管理部が、前記アクセスポイントとして動作を開始すると、前記動作開始通知を前記モバイルルータへ通知する動作状況通知部とを有することを特徴とする通信システム。
【請求項２】
請求項１に記載の通信システムにおいて、
前記モバイルルータは、当該モバイルルータと前記ホームゲートウェイとの間の接続状態を監視するＨＧＷ接続状態監視部を有し、
前記設定情報通知部は、前記ＨＧＷ接続状態監視部が、当該モバイルルータと前記ホームゲートウェイとが接続されたことを検出した場合、前記アクセスポイント設定情報を前記ホームゲートウェイへ通知することを特徴とする通信システム。
【請求項３】
請求項２に記載の通信システムにおいて、
前記モバイルルータは、前記ホームゲートウェイと接続するＨＧＷインタフェース部を有し、
前記ＨＧＷ接続状態監視部は、前記ＨＧＷインタフェース部と前記ホームゲートウェイとの接続状態を監視することを特徴とする通信システム。
【請求項４】
請求項２または請求項３に記載の通信システムにおいて、
前記ホームゲートウェイは、当該ホームゲートウェイと前記モバイルルータとの間の接続状態を監視するＭＲ接続状態監視部を有し、
前記第２のＡＰ動作管理部は、アクセスポイントとして動作している場合に、前記ＭＲ接続状態監視部が、当該ホームゲートウェイと前記モバイルルータとの接続が切断されたことを検出した場合、アクセスポイントとしての動作を停止し、
前記電源管理部は、前記電源がスリープ状態である場合に、前記ＨＧＷ接続状態監視部が、当該モバイルルータと前記ホームゲートウェイとの接続が切断されたことを検出した場合、前記スリープ状態を解除し、
前記第１のＡＰ動作管理部は、前記電源がスリープ状態である場合に、前記ＨＧＷ接続状態監視部が、当該モバイルルータと前記ホームゲートウェイとの接続が切断されたことを検出した場合、アクセスポイントとしての動作を再開することを特徴とする通信システム。
【請求項５】
請求項４に記載の通信システムにおいて、
前記ホームゲートウェイは、前記モバイルルータと接続するＭＲインタフェース部を有し、
前記ＭＲ接続状態監視部は、前記ＭＲインタフェース部と前記モバイルルータとの接続状態を監視することを特徴とする通信システム。
【請求項６】
請求項１から５のいずれか１項に記載の通信システムにおいて、
前記設定情報通知部は、当該モバイルルータと通信を行っている通信端末との間でアクセスポイントとして動作するために必要なアクセスポイント設定情報を前記ホームゲートウェイへ通知することを特徴とする通信システム。
【請求項７】
ホームゲートウェイであって、
モバイルルータから、無線ＬＡＮ通信端末に対してアクセスポイントとして動作するために必要なアクセスポイント設定情報が通知されると、該アクセスポイント設定情報を用いて、前記モバイルルータの代替となる前記アクセスポイントとして動作を開始するＡＰ動作管理部と、
前記ＡＰ動作管理部が、前記アクセスポイントとして動作を開始すると、前記アクセスポイントとして動作を開始した旨を示す動作開始通知を前記モバイルルータへ通知する動作状況通知部とを有するホームゲートウェイ。
【請求項８】
モバイルルータであって、
当該モバイルルータが無線ＬＡＮ通信端末に対してアクセスポイントとして動作している場合、前記アクセスポイントとして動作するために必要なアクセスポイント設定情報をホームゲートウェイへ通知する設定情報通知部と、
前記ホームゲートウェイから前記アクセスポイントとして動作を開始した旨を示す動作開始通知を受けると、前記アクセスポイントとしての動作を停止するＡＰ動作管理部と、
前記ホームゲートウェイから前記動作開始通知を受けると、当該モバイルルータの電源をスリープ状態にする電源管理部とを有するモバイルルータ。
【請求項９】
ホームゲートウェイとモバイルルータと無線ＬＡＮ通信端末とを有する通信システムにおける通信方法であって、
前記モバイルルータが、当該モバイルルータが前記無線ＬＡＮ通信端末に対してアクセスポイントとして動作している場合、前記アクセスポイントとして動作するために必要なアクセスポイント設定情報を前記ホームゲートウェイへ通知する処理と、
前記ホームゲートウェイが、前記モバイルルータから、前記アクセスポイント設定情報が通知されると、該アクセスポイント設定情報を用いて、前記モバイルルータの代替となる前記アクセスポイントとして動作を開始する処理と、
前記ホームゲートウェイが、前記アクセスポイントとして動作を開始すると、前記アクセスポイントとして動作を開始した旨を示す動作開始通知を前記モバイルルータへ通知する処理と、
前記モバイルルータが、前記ホームゲートウェイから前記動作開始通知を受けると、前記アクセスポイントとしての動作を停止する処理と、
前記モバイルルータが、前記ホームゲートウェイから前記動作開始通知を受けると、当該モバイルルータの電源をスリープ状態にする処理とを行う通信方法。
【発明の詳細な説明】
【技術分野】
【０００１】
本発明は、通信を行う通信システム、ホームゲートウェイ、モバイルルータおよび通信方法に関する。
【背景技術】
【０００２】
近年、無線ＬＡＮ（Ｌｏｃａｌ  Ａｒｅａ  Ｎｅｔｗｏｒｋ）対応の通信機器（以下、通信端末と称する）を、インターネット等の通信ネットワークと接続するために、モバイルルータが用いられている。このモバイルルータは、移動可能な通信端末とインターネット等の通信ネットワークとの間の通信を中継する役割を持つものである。
【０００３】
また、このようなモバイルルータを、モデム等の回線終端装置と接続された充電器（以下、クレードルと称する）に載置した場合、当該モバイルルータが、クレードルおよび回線終端装置を介して、回線終端装置と接続された外部ネットワークと接続する技術が考えられている（例えば、特許文献１参照。）。
【先行技術文献】
【特許文献】
【０００４】
【特許文献１】特開２０１２−４４４７７号公報
【発明の概要】
【発明が解決しようとする課題】
【０００５】
特許文献１に記載されたような技術においては、モバイルルータと接続されている通信端末が、そのモバイルルータを経由して通信を行う。そのため、充電が行われているモバイルルータのバッテリに負荷がかかってしまうという問題点がある。
【０００６】
本発明の目的は、上述した課題を解決する通信システム、ホームゲートウェイ、モバイルルータおよび通信方法を提供することである。
【課題を解決するための手段】
【０００７】
本発明の通信システムは、
ホームゲートウェイとモバイルルータと無線ＬＡＮ（Ｌｏｃａｌ  Ａｒｅａ  Ｎｅｔｗｏｒｋ）通信端末とを有する通信システムにおいて、
前記モバイルルータは、
当該モバイルルータが前記無線ＬＡＮ通信端末に対してアクセスポイントとして動作している場合、前記アクセスポイントとして動作するために必要なアクセスポイント設定情報を前記ホームゲートウェイへ通知する設定情報通知部と、
前記ホームゲートウェイから前記アクセスポイントとして動作を開始した旨を示す動作開始通知を受けると、前記アクセスポイントとしての動作を停止する第１のＡＰ動作管理部と、
前記ホームゲートウェイから前記動作開始通知を受けると、当該モバイルルータの電源をスリープ状態にする電源管理部とを有し、
前記ホームゲートウェイは、
前記設定情報通知部から、前記アクセスポイント設定情報が通知されると、該アクセスポイント設定情報を用いて、前記モバイルルータの代替となる前記アクセスポイントとして動作を開始する第２のＡＰ動作管理部と、
前記第２のＡＰ動作管理部が、前記アクセスポイントとして動作を開始すると、前記動作開始通知を前記モバイルルータへ通知する動作状況通知部とを有することを特徴とする。
【０００８】
また、本発明のホームゲートウェイは、
モバイルルータから、無線ＬＡＮ通信端末に対してアクセスポイントとして動作するために必要なアクセスポイント設定情報が通知されると、該アクセスポイント設定情報を用いて、前記モバイルルータの代替となる前記アクセスポイントとして動作を開始するＡＰ動作管理部と、
前記ＡＰ動作管理部が、前記アクセスポイントとして動作を開始すると、前記アクセスポイントとして動作を開始した旨を示す動作開始通知を前記モバイルルータへ通知する動作状況通知部とを有する。
【０００９】
また、本発明のモバイルルータは、
当該モバイルルータが無線ＬＡＮ通信端末に対してアクセスポイントとして動作している場合、前記アクセスポイントとして動作するために必要なアクセスポイント設定情報をホームゲートウェイへ通知する設定情報通知部と、
前記ホームゲートウェイから前記アクセスポイントとして動作を開始した旨を示す動作開始通知を受けると、前記アクセスポイントとしての動作を停止するＡＰ動作管理部と、
前記ホームゲートウェイから前記動作開始通知を受けると、当該モバイルルータの電源をスリープ状態にする電源管理部とを有する。
【００１０】
また、本発明の通信方法は、
ホームゲートウェイとモバイルルータと無線ＬＡＮ通信端末とを有する通信システムにおける通信方法であって、
前記モバイルルータが、当該モバイルルータが前記無線ＬＡＮ通信端末に対してアクセスポイントとして動作している場合、前記アクセスポイントとして動作するために必要なアクセスポイント設定情報を前記ホームゲートウェイへ通知する処理と、
前記ホームゲートウェイが、前記モバイルルータから、前記アクセスポイント設定情報が通知されると、該アクセスポイント設定情報を用いて、前記モバイルルータの代替となる前記アクセスポイントとして動作を開始する処理と、
前記ホームゲートウェイが、前記アクセスポイントとして動作を開始すると、前記アクセスポイントとして動作を開始した旨を示す動作開始通知を前記モバイルルータへ通知する処理と、
前記モバイルルータが、前記ホームゲートウェイから前記動作開始通知を受けると、前記アクセスポイントとしての動作を停止する処理と、
前記モバイルルータが、前記ホームゲートウェイから前記動作開始通知を受けると、当該モバイルルータの電源をスリープ状態にする処理とを行う。
【発明の効果】
【００１１】
以上説明したように、本発明においては、モバイルルータのバッテリにかかる負荷を低減させることができる。
【図面の簡単な説明】
【００１２】
【図１】本発明の通信システムの実施の一形態を示す図である。
【図２】図１に示したＭＲの内部構成の一例を示す図である。
【図３】図１に示したＨＧＷの内部構成の一例を示す図である。
【図４】図１に示した通信システムにおける通信方法のうち、図１に示したＭＲにおける処理を説明するためのフローチャートである。
【図５】図１に示した通信システムにおける通信方法のうち、図１に示したＨＧＷにおける処理を説明するためのフローチャートである。
【図６】本発明の通信システムの実施の他の形態を示す図である。
【図７】図６に示したＭＲの内部構成の一例を示す図である。
【図８】図６に示したＨＧＷの内部構成の一例を示す図である。
【図９】図６に示した通信システムにおける通信方法のうち、図６に示したＭＲにおける処理を説明するためのフローチャートである。
【図１０】図６に示した通信システムにおける通信方法のうち、図６に示したＨＧＷにおける処理を説明するためのフローチャートである。
【発明を実施するための形態】
【００１３】
以下に、本発明の実施の形態について図面を参照して説明する。
【００１４】
図１は、本発明の通信システムの実施の一形態を示す図である。
【００１５】
本形態は図１に示すように、モバイルルータであるＭＲ１００と、ホームゲートウェイであるＨＧＷ２００と、端末３００とから構成されている。
【００１６】
ＭＲ１００は、移動可能なモバイルルータである。
【００１７】
図２は、図１に示したＭＲ１００の内部構成の一例を示す図である。
【００１８】
図１に示したＭＲ１００には図２に示すように、インターネットインタフェース部１０１と、ＷＬＡＮインタフェース部１０２と、ＨＧＷインタフェース部１０３と、動作モード制御部１０４と、ＡＰ設定情報通知部１０５と、ＨＧＷ動作状況受信部１０６と、ＨＧＷ接続状態監視部１０７と、ＡＰ動作管理部１０８と、電源管理部１０９とが設けられている。
【００１９】
インターネットインタフェース部１０１は、携帯電話回線やＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）回線等により通信ネットワークであるインターネット５００と接続される一般的なインターネットインタフェースである。インターネットインタフェース部１０１は、インターネット５００との間でデータの送受信を行う。インターネットインタフェース部１０１は、電源管理部１０９と接続される。インターネットインタフェース部１０１は、電源管理部１０９からの設定により、動作の停止、再開をする。
【００２０】
ＷＬＡＮインタフェース部１０２は、ＡＰ動作管理部１０８および電源管理部１０９と接続される。ＷＬＡＮインタフェース部１０２は、ＡＰ動作管理部１０８からの制御に基づいて、無線ＬＡＮのアクセスポイント機能であるＷＬＡＮ  ＡＰ機能（ＡＰ動作）を提供する。ＷＬＡＮインタフェース部１０２は、端末３００が主にインターネット５００へアクセスするために端末３００との間で無線接続を行うためのインタフェースとなる。ＷＬＡＮインタフェース部１０２は、電源管理部１０９からの設定により、動作の停止、再開をする。
【００２１】
ＨＧＷインタフェース部１０３は、ＡＰ設定情報通知部１０５、ＨＧＷ動作状況受信部１０６およびＨＧＷ接続状態監視部１０７と接続される。ＨＧＷインタフェース部１０３は、ＨＧＷ２００との間でデータ通信を行うインタフェースであり、ＵＳＢ（Ｕｎｉｖｅｒｓａｌ  Ｓｅｒｉａｌ  Ｂｕｓ）のような汎用的なインタフェースであっても良い。ＨＧＷインタフェース部１０３は、ＡＰ設定情報通知部１０５から要求があると、ＭＲ１００が保有しているＡＰ設定情報（アクセスポイント設定情報）をＨＧＷ２００へ送信する。ＨＧＷインタフェース部１０３は、ＨＧＷ２００からＨＧＷ２００におけるＡＰ動作の動作状況を受信すると、当該動作状況をＨＧＷ動作状況受信部１０６へ渡す。ＨＧＷインタフェース部１０３は、ＨＧＷ接続状態監視部１０７から要求があると、ＨＧＷ２００との接続状態を通知する。
【００２２】
動作モード制御部１０４は、ＡＰ設定情報通知部１０５、ＨＧＷ動作状況受信部１０６、ＨＧＷ接続状態監視部１０７、ＡＰ動作管理部１０８および電源管理部１０９と接続される。動作モード制御部１０４は、ＨＧＷ接続状態監視部１０７からＨＧＷ２００との接続通知を受けると、ＡＰ動作管理部１０８へＡＰ設定情報を問い合わせる。動作モード制御部１０４は、ＡＰ動作管理部１０８からＡＰ設定情報を取得すると、当該ＡＰ設定情報をＡＰ設定情報通知部１０５へ渡す。動作モード制御部１０４は、ＨＧＷ動作状況受信部１０６からＨＧＷ２００における無線ＬＡＮのＡＰ動作の開始通知を受けると、ＡＰ動作管理部１０８に対して無線ＬＡＮのＡＰ機能停止要求を行う。動作モード制御部１０４は、ＨＧＷ動作状況受信部１０６からＨＧＷ２００における無線ＬＡＮのＡＰ動作の開始通知を受けると、電源管理部１０９へスリープ要求をする。動作モード制御部１０４は、ＨＧＷ接続状態監視部１０７からＨＧＷ２００との切断の通知を受けると、ＡＰ動作管理部１０８へ無線ＬＡＮのＡＰ機能の再開要求を行う。動作モード制御部１０４は、ＨＧＷ接続状態監視部１０７からＨＧＷ２００の切断通知を受けると、電源管理部１０９へスリープ解除要求をする。
【００２３】
ＨＧＷ接続状態監視部１０７は、ＨＧＷインタフェース部１０３および動作モード制御部１０４と接続される。ＨＧＷ接続状態監視部１０７は、ＨＧＷインタフェース部１０３を用いてＨＧＷ２００の接続状態を監視し、ＭＲ１００とＨＧＷ２００との接続、またはＨＧＷ２００のＭＲ１００からの切断を検出すると、その旨を動作モード制御部１０４へ通知をする。
【００２４】
ＡＰ設定情報通知部１０５は、ＨＧＷインタフェース部１０３および動作モード制御部１０４と接続される設定情報通知部である。ＡＰ設定情報通知部１０５は、動作モード制御部１０４からＡＰ設定情報を受け取ると、ＨＧＷインタフェース部１０３を介して当該ＡＰ設定情報をＨＧＷ２００へ送信する。
【００２５】
ＨＧＷ動作状況受信部１０６は、ＨＧＷインタフェース部１０３および動作モード制御部１０４と接続される。ＨＧＷ動作状況受信部１０６は、ＨＧＷインタフェース部１０３からＡＰ動作状況を受信すると、当該ＡＰ動作状況を動作モード制御部１０４へ通知する。
【００２６】
ＡＰ動作管理部１０８は、ＷＬＡＮインタフェース部１０２および動作モード制御部１０４と接続される第１のＡＰ動作管理部である。ＡＰ動作管理部１０８は、動作モード制御部１０４からＡＰ設定情報の問い合わせがあると、保有しているＡＰ設定情報を動作モード制御部１０４へ渡す。このＡＰ設定情報は、無線ＬＡＮのアクセスポイントとして動作するために必要な情報であり、例えば、ＳＳＩＤ（Ｓｅｒｖｉｃｅ  Ｓｅｔ  Ｉｄｅｎｔｉｆｉｅｒ）、暗号化キー等からなる一般的な無線ＬＡＮのアクセスポイントに関する設定情報である。また、このＡＰ設定情報は、ＭＲ１００と通信を行っている端末３００との間でアクセスポイントとして動作するために必要な情報である。ＡＰ動作管理部１０８は、動作モード制御部１０４から無線ＬＡＮのＡＰ動作の停止または再開要求があると、ＡＰ機能を停止または再開する。
【００２７】
電源管理部１０９は、インターネットインタフェース部１０１、ＷＬＡＮインタフェース部１０２および動作モード制御部１０４と接続される。電源管理部１０９は、動作モード制御部１０４からスリープ要求を受けると、インターネットインタフェース部１０１の電源をオフにする。電源管理部１０９は、動作モード制御部１０４からスリープ要求を受けると、ＷＬＡＮインタフェース部１０２の電源をオフにする。つまり、電源管理部１０９は、動作モード制御部１０４からスリープ要求を受けると、図２に未記載のモジュールを含め、ＨＧＷ２００の接続状態監視に必要なＨＧＷインタフェース部１０３、動作モード制御部１０４およびＨＧＷ接続状態監視部１０７以外のモジュール（構成要素）の電源をオフにする（スリープ状態設定）。電源管理部１０９は、動作モード制御部１０４からスリープ解除要求を受けると、インターネットインタフェース部１０１の電源をオンにする。電源管理部１０９は、動作モード制御部１０４からスリープ解除要求を受けると、ＷＬＡＮインタフェース部１０２の電源をオンにする。つまり、電源管理部１０９は、動作モード制御部１０４からスリープ解除要求を受けると、図２に未記載のモジュールを含め、通常動作に必要なモジュールの電源をオンにする（スリープ状態解除）。
【００２８】
ＨＧＷ２００は、ホームゲートウェイである。また、ＨＧＷ２００は、通信圏４００をその通信範囲としている。また、ＨＧＷ２００は、外部の通信ネットワークであるインターネット５００と接続されている。
【００２９】
図３は、図１に示したＨＧＷ２００の内部構成の一例を示す図である。
【００３０】
図１に示したＨＧＷ２００には図３に示すように、インターネットインタフェース部２０１と、ＷＬＡＮインタフェース部２０２と、ＭＲインタフェース部２０３と、動作モード制御部２０４と、ＡＰ設定情報受信部２０５と、ＨＧＷ動作状況通知部２０６と、ＭＲ接続状態監視部２０７と、ＡＰ動作管理部２０８とが設けられている。
【００３１】
インターネットインタフェース部２０１は、光回線や電話回線、ＣＡＴＶ（Ｃｏｍｍｕｎｉｔｙ  Ａｎｔｅｎｎａ  Ｔｅｌｅｖｉｓｉｏｎ）回線等を用いてインターネット５００と接続されるＨＧＷの一般的なインターネットインタフェースである。インターネットインタフェース部２０１は、インターネット５００との間でデータの送受信を行う。
【００３２】
ＷＬＡＮインタフェース部２０２は、ＡＰ動作管理部２０８と接続される。ＷＬＡＮインタフェース部２０２は、ＡＰ動作管理部２０８からの制御に基づいて、無線ＬＡＮのアクセスポイント機能であるＷＬＡＮ  ＡＰ機能（ＡＰ動作）を提供する。ＷＬＡＮインタフェース部２０２は、端末３００が主にインターネット５００へアクセスするために端末３００との間で無線接続を行うためのインタフェースとなる。
【００３３】
ＭＲインタフェース部２０３は、ＡＰ設定情報受信部２０５、ＨＧＷ動作状況通知部２０６およびＭＲ接続状態監視部２０７と接続される。ＭＲインタフェース部２０３は、ＭＲ１００との間でデータ通信を行うインタフェースであり、ＵＳＢのような汎用的なインタフェースであっても良い。ＭＲインタフェース部２０３は、ＭＲ１００からＡＰ設定情報を受信すると、当該ＡＰ設定情報をＡＰ設定情報受信部２０５へ渡す。このＡＰ設定情報は、ＨＧＷ２００がＭＲ１００が具備する無線ＬＡＮのアクセスポイント機能と同等の動作をするために必要な情報であり、上述したように、ＳＳＩＤ、暗号化キー等からなる一般的な無線ＬＡＮのアクセスポイントに関する設定情報である。ＭＲインタフェース部２０３は、ＨＧＷ動作状況通知部２０６から要求があると、ＨＧＷ２００における動作状況をＭＲ１００へ送信する。ＭＲインタフェース部２０３は、ＭＲ接続状態監視部２０７から要求があると、ＨＧＷ２００との接続状態をＭＲ接続状態監視部２０７へ通知する。ＭＲインタフェース部２０３は、ＨＧＷ２００との接続状態を、ＵＳＢや汎用的なインタフェースが備えるリンク検出機能を用いて検出する。ＨＧＷ２００とＭＲ１００との接続は、接続状態の確認およびデータ通信ができれば良いため、ｅｔｈｅｒｎｅｔ（登録商標）やクレードル等のＵＳＢ以外の接続方法を用いても良い。
【００３４】
動作モード制御部２０４は、ＡＰ設定情報受信部２０５、ＨＧＷ動作状況通知部２０６、ＭＲ接続状態監視部２０７およびＡＰ動作管理部２０８と接続される。動作モード制御部２０４は、ＡＰ設定情報受信部２０５からＡＰ設定情報を受け取ると、当該ＡＰ設定情報をＡＰ動作管理部２０８へ渡す。動作モード制御部２０４は、ＡＰ動作管理部２０８からＡＰ動作の開始通知を受けると、ＨＧＷ動作状況通知部２０６へその旨を通知する。動作モード制御部２０４は、ＭＲ接続状態監視部２０７からＭＲ１００の切断通知を受けると、ＡＰ動作管理部２０８に対してＡＰ動作の停止を要求する。
【００３５】
ＡＰ設定情報受信部２０５は、ＭＲインタフェース部２０３および動作モード制御部２０４と接続される。ＡＰ設定情報受信部２０５は、ＭＲインタフェース部２０３からＡＰ設定情報を受信すると、当該ＡＰ設定情報を動作モード制御部２０４へ渡す。
【００３６】
ＨＧＷ動作状況通知部２０６は、ＭＲインタフェース部２０３および動作モード制御部２０４と接続される動作状況通知部である。ＨＧＷ動作状況通知部２０６は、動作モード制御部２０４からＡＰ動作の開始通知を受けると、ＭＲインタフェース部２０３を介してＭＲ１００へ開始通知を行う。
【００３７】
ＭＲ接続状態監視部２０７は、ＭＲインタフェース部２０３および動作モード制御部２０４と接続される。ＭＲ接続状態監視部２０７は、ＭＲインタフェース部２０３におけるＨＧＷ２００との接続状態を監視し、切断を検出すると動作モード制御部２０４へその旨を通知する。
【００３８】
ＡＰ動作管理部２０８は、ＷＬＡＮインタフェース部２０２および動作モード制御部２０４と接続される第２のＡＰ動作管理部である。ＡＰ動作管理部２０８は、動作モード制御部２０４からＡＰ設定情報を受信すると、当該ＡＰ設定情報に従ってＷＬＡＮインタフェース部２０２を用いて無線ＬＡＮのアクセスポイント機能であるＷＬＡＮ  ＡＰ機能を提供する。ＡＰ動作管理部２０８は、動作モード制御部２０４からＡＰ動作の停止要求を受けると、ＡＰ動作を停止する。
【００３９】
端末３００は、無線ＬＡＮ通信機能を具備した、移動可能な無線ＬＡＮ通信端末である。
【００４０】
以下に、図１に示した通信システムにおける通信方法について説明する。まずは、図１に示したＭＲ１００における処理について説明する。ここでは、ＭＲ１００が、ＨＧＷ２００と接続し、スリープ状態となり、その後、ＨＧＷ２００との接続が切断され、スリープ状態が解除されるまでの処理について説明する。
【００４１】
図４は、図１に示した通信システムにおける通信方法のうち、図１に示したＭＲ１００における処理を説明するためのフローチャートである。
【００４２】
まず、初期状態において、ＭＲ１００はインターネット接続環境を擁する通常のモバイルルータの動作を行っている。また、ＨＧＷ接続状態監視部１０７は、ＨＧＷインタフェース部１０３とＨＧＷ２００とが接続されたかどうかを監視する（ステップＳ１）。利用者の操作で、ＭＲ１００がＨＧＷ２００にＵＳＢケーブル等を用いて接続されると、ＨＧＷ接続状態監視部１０７は、ＨＧＷインタフェース部１０３とＨＧＷ２００とが接続されたことを検出する。ＨＧＷ接続状態監視部１０７は、ＨＧＷインタフェース部１０３とＨＧＷ２００とが接続されたことを検出すると、その旨を動作モード制御部１０４へ通知する。すると、動作モード制御部１０４は、ＡＰ動作管理部１０８からＡＰ設定情報を取得し、取得したＡＰ設定情報をＡＰ設定情報通知部１０５へ渡す。
【００４３】
続いて、ＡＰ設定情報通知部１０５は、ＨＧＷインタフェース部１０３を介して、ＡＰ設定情報をＨＧＷ２００へ送信する（ステップＳ２）。送信されたＡＰ設定情報をＨＧＷ２００が受信すると、ＨＧＷ２００は、後に図５を用いて説明する処理を行う。
【００４４】
その後、動作モード制御部１０４は、ＨＧＷ動作状況受信部１０６がＨＧＷ２００からＨＧＷインタフェース部１０３を介してＡＰ動作開始通知を受信したかどうかを判定する（ステップＳ３）。動作モード制御部１０４は、ＨＧＷ動作状況受信部１０６がＡＰ動作開始通知を受信した通知を、ＨＧＷ動作状況受信部１０６から受け取ると、ＡＰ動作管理部１０８に無線ＬＡＮのアクセスポイントのＡＰ動作の停止を要求する。ＡＰ動作管理部１０８は、ＡＰ動作の停止要求を受けると、ＷＬＡＮインタフェース部１０２を用いて提供していた無線ＬＡＮのアクセスポイントのＡＰ動作を停止する（ステップＳ４）。
【００４５】
また、動作モード制御部１０４は、電源管理部１０９へスリープ要求（スリープ状態への設定）を行う。電源管理部１０９は、スリープ要求を受けると、インターネットインタフェース部１０１およびＷＬＡＮインタフェース部１０２の電源をオフにする。また、電源管理部１０９は、図２に未記載のモジュールを含め、ＨＧＷ２００との接続状態監視に必要なＨＧＷインタフェース部１０３、動作モード制御部１０４およびＨＧＷ接続状態監視部１０７以外のモジュールの電源をオフにする。これにより、ＭＲ１００はスリープ状態となる（ステップＳ５）。
【００４６】
このとき、ＭＲ１００のスリープ状態設定に合わせて、バッテリの充電（バッテリへの電源供給）をすることもできる。電源供給については、接続形態に応じ、ＨＧＷ２００からのＵＳＢバスパワーによる供給や、ＰｏＥ（Ｐｏｗｅｒ  Ｏｖｅｒ  Ｅｔｈｅｒｎｅｔ（登録商標））による供給や、クレードルによる供給等、一般的に知られた方法を用いれば良い。ＭＲ１００は、スリープ状態で充電をすることができるため、バッテリに負荷をかけないバッテリ寿命に優しい充電をすることができる。以上により、ＨＧＷ２００が、ＭＲ１００のＡＰ設定情報でＡＰ動作をし、且つ、ＭＲ１００はスリープするという、ＭＲ代替動作状態となる。
【００４７】
その後、ＨＧＷ接続状態監視部１０７は、ＨＧＷインタフェース部１０３とＨＧＷ２００との接続が切断されたかどうかを監視する（ステップＳ６）。利用者の操作で、ＭＲ１００がＨＧＷ２００から外されると、ＨＧＷ接続状態監視部１０７は、ＨＧＷインタフェース部１０３とＨＧＷ２００との接続が切断されたことを検出する。ＨＧＷ接続状態監視部１０７は、ＨＧＷインタフェース部１０３とＨＧＷ２００とが切断されたことを検出すると、その旨を動作モード制御部１０４へ通知する。動作モード制御部１０４は、切断通知を受けると、電源管理部１０９へスリープ状態の解除要求を行う。電源管理部１０９は、スリープ状態の解除要求を受けると、インターネットインタフェース部１０１およびＷＬＡＮインタフェース部１０２の電源をオンにする。また、電源管理部１０９は、図２に未記載のモジュールを含め、通常動作に必要な各モジュールの電源をオンにする。つまり、電源管理部１０９は、ステップＳ５にてオフとされたモジュールの電源をオンにする。これにより、ＭＲ１００のスリープ状態は解除される（ステップＳ７）。
【００４８】
続いて、動作モード制御部１０４は、ＡＰ動作管理部１０８に対してＡＰ動作の再開要求を行う。ＡＰ動作管理部１０８は、ＷＬＡＮインタフェース部１０２を用いたＡＰ機能の提供（ＡＰ動作）を再開する（ステップＳ８）。
【００４９】
その後、ＭＲ１００は、再び通常動作に戻り、ステップＳ１にて、ＨＧＷ接続状態監視部１０７により、ＨＧＷ２００との接続を監視する状態となる。
【００５０】
次に、図１に示したＨＧＷ２００における処理について説明する。ここでは、ＨＧＷ２００が、ＭＲ１００と接続され、ＭＲ１００が行うＡＰ動作の代替動作を行い、その後、ＭＲ１００との接続が切断され、通常動作に戻るまでの処理について説明する。
【００５１】
図５は、図１に示した通信システムにおける通信方法のうち、図１に示したＨＧＷ２００における処理を説明するためのフローチャートである。
【００５２】
まず、初期状態において、ＨＧＷ２００はインターネット接続環境を擁する通常のホームゲートウェイの動作を行っている。また、ＭＲ接続状態監視部２０７は、ＭＲインタフェース部２０３とＭＲ１００とが接続されたかどうかを監視する（ステップＳ１１）。利用者の操作で、ＨＧＷ２００がＭＲ１００にＵＳＢケーブル等を用いて接続されると、ＭＲ接続状態監視部２０７は、ＭＲインタフェース部２０３とＭＲ１００とが接続されたことを検出する。ＭＲ接続状態監視部２０７は、ＭＲインタフェース部２０３とＭＲ１００とが接続されたことを検出すると、その旨を動作モード制御部２０４へ通知する。すると、動作モード制御部２０４は、ＡＰ設定情報受信部２０５がＭＲ１００からＭＲインタフェース部２０３を介してＡＰ設定情報を受信したかどうかを判定する（ステップＳ１２）。このＡＰ設定情報は、上述したステップＳ２にてＭＲ１００から送信されるものである。
【００５３】
ＡＰ設定情報受信部２０５は、ＭＲインタフェース部２０３を介してＭＲ１００からＡＰ設定情報を受信すると、当該ＡＰ設定情報を動作モード制御部２０４へ渡す。すると、動作モード制御部２０４は、当該ＡＰ設定情報をＡＰ動作管理部２０８へ渡す。ＡＰ動作管理部２０８は、ＷＬＡＮインタフェース部２０２を用いて、当該ＡＰ設定情報の設定でＡＰ動作を開始する（ステップＳ１３）。これにより、ＨＧＷ２００が、ＭＲ１００が保有していたＡＰ設定情報を用いてＡＰ機能を提供する状態となる。
【００５４】
続いて、動作モード制御部２０４は、ＡＰ動作を開始した旨をＨＧＷ動作状況通知部２０６へ通知する。すると、ＨＧＷ動作状況通知部２０６は、ＭＲインタフェース部２０３を介してＭＲ１００へ、ＡＰ動作を開始した旨を示すＡＰ動作開始通知を送信する（ステップＳ１４）。
【００５５】
その後、ＭＲ接続状態監視部２０７は、ＭＲインタフェース部２０３とＭＲ１００との接続が切断されたかどうかを監視する（ステップＳ１５）。利用者の操作で、ＨＧＷ２００がＭＲ１００から外されると、ＭＲ接続状態監視部２０７は、ＭＲインタフェース部２０３とＭＲ１００との接続が切断されたことを検出する。ＭＲ接続状態監視部２０７は、ＭＲインタフェース部２０３とＭＲ１００とが切断されたことを検出すると、その旨を動作モード制御部２０４へ通知する。動作モード制御部２０４は、切断通知を受けると、その旨をＡＰ動作管理部２０８へ通知する。ＡＰ動作管理部２０８は、ＭＲ１００の切断通知を受けると、ＷＬＡＮインタフェース部２０２を用いて提供していたＡＰ動作を停止する（ステップＳ１６）。
【００５６】
その後、ＨＧＷ２００は、再び通常動作に戻り、ステップＳ１１にて、ＭＲ接続状態監視部２０７により、ＭＲ１００との接続を監視する状態となる。
【００５７】
一般的にモバイルルータは、自宅では用途があまり無く、使用していないにもかかわらずバッテリを消費してしまう。また、モバイルルータをスリープさせると、モバイルルータと接続していた無線ＬＡＮの通信端末がインターネットにアクセスできなくなってしまう。また、無線ＬＡＮ端末の接続先を切り替えるためには、追加の設定や設定変更が必要になってしまう。また、ホームゲートウェイとモバイルルータとのような互いに異なる機器の連係動作をさせる場合、事前に設定が必要になってしまう。
【００５８】
本発明においては、上述したように、これらの課題を解決し、以下に記載するような効果を奏する。
【００５９】
第１の効果は、モバイルルータがホームゲートウェイの圏内であることを検知し、自動でスリープ状態となることで、モバイルルータのバッテリ消費を抑えることができることである。
【００６０】
また、第２の効果は、無線ＬＡＮ端末がホームゲートウェイのインターネット回線を使用することにより、モバイルルータがスリープ中の状態であっても、インターネットへのアクセスができることである。
【００６１】
また、第３の効果は、無線ＬＡＮ端末がホームゲートウェイのインターネット回線を使用することにより、高速なインターネット通信をできることである。
【００６２】
また、第４の効果は、無線ＬＡＮ端末がホームゲートウェイのインターネット回線を使用することにより、この使用よりも使用料金が一般的に割高なモバイルルータのインターネット回線の使用を抑止することである。
【００６３】
また、第５の効果は、ホームゲートウェイがモバイルルータのＡＰ設定情報を用いてＡＰ動作を行うことで、無線ＬＡＮ端末に追加の設定や設定変更をすることなく、無線ＬＡＮ端末の接続先を切り替えることができることである。
【００６４】
また、第６の効果は、接続の都度、モバイルルータのＡＰ設定情報を取得することで、事前設定を不要とすることができることである。
【００６５】
また、第７の効果は、接続の都度、モバイルルータのＡＰ設定情報を取得することで、特定のモバイルルータに括りつけられることなく利用することができることである。
【００６６】
図６は、本発明の通信システムの実施の他の形態を示す図である。
【００６７】
本形態は図６に示すように、モバイルルータであるＭＲ１１０と、ホームゲートウェイであるＨＧＷ２１０と、端末３００とから構成されている。
【００６８】
図７は、図６に示したＭＲ１１０の内部構成の一例を示す図である。
【００６９】
図６に示したＭＲ１１０では図７に示すように、図２に示した構成に仮ＡＰ接続管理部１１１とＡＰ接続管理部１１２とが追加されている。
【００７０】
仮ＡＰ接続管理部１１１は、仮ＡＰとして動作しているＨＧＷ２１０と接続し、ＭＲ代替動作に必要な情報（ＡＰ設定情報）をＨＧＷ２１０へ送信するために使用される。ここで、仮ＡＰとは、ＭＲ代替動作に必要なＭＲ１１０との接続の検出および情報の送受信を行うだけの、設定専用ＡＰとして動作を行うアクセスポイントである。
【００７１】
ＡＰ接続管理部１１２は、仮ＡＰが動作を終了した後のＭＲ代替動作中に、ＭＲ１１０が、ＡＰ動作をしているＨＧＷ２１０と接続することにより、ＨＧＷ２１０およびＭＲ１１０の接続状態を確認するために使用される。
【００７２】
図８は、図６に示したＨＧＷ２１０の内部構成の一例を示す図である。
【００７３】
図６に示したＨＧＷ２１０では図８に示すように、図３に示した構成から、ＭＲインタフェース部２０３が削除され、仮ＡＰ動作管理部２１１が追加されている。
【００７４】
ＨＧＷ２１０のＷＬＡＮインタフェース部２０２は、図３に示したＭＲインタフェース部２０３の機能も兼ねる。
【００７５】
仮ＡＰ動作管理部２１１は、ＭＲ１１０の接続検出のための仮ＡＰとして動作をする。
【００７６】
以下に、図６に示した通信システムにおける通信方法について説明する。まずは、図６に示したＭＲ１１０における処理について説明する。ここでは、ＭＲ１１０が、ＨＧＷ２１０と接続し、スリープ状態となり、その後、ＨＧＷ２１０との接続が切断され、スリープ状態が解除されるまでの処理について説明する。
【００７７】
図９は、図６に示した通信システムにおける通信方法のうち、図６に示したＭＲ１１０における処理を説明するためのフローチャートである。
【００７８】
まず、初期状態において、ＭＲ１１０はインターネット接続環境を擁する通常のモバイルルータの動作を行っている。また、仮ＡＰ接続管理部１１１は、無線ＬＡＮの仮ＡＰとして動作しているＨＧＷ２１０（ＨＧＷ−ＷＬＡＮ仮ＡＰ）の検出を行う（ステップＳ２１）。利用者がＭＲ１１０をＨＧＷ２１０の通信圏４００内に移動させることで、仮ＡＰ接続管理部１１１は、仮ＡＰを検出する。
【００７９】
仮ＡＰ接続管理部１１１は、仮ＡＰを検出すると、仮ＡＰとして動作しているＨＧＷ２１０と接続をする（ステップＳ２２）。仮ＡＰとして動作しているＨＧＷ２１０は、設定専用のＡＰであるため、ＨＧＷ毎に異なる接続に必要な設定情報を持つ必要は無く、事前にＭＲ１１０と接続設定しておくことができる。一方で、ＨＧＷ、ＭＲ毎に固有の設定をすることにより、任意の組み合わせでのみＭＲ代替動作をさせることもできる。
【００８０】
続いて、動作モード制御部１０４は、ＡＰ動作管理部１０８からＡＰ設定情報を取得する。動作モード制御部１０４は、当該ＡＰ設定情報をＡＰ設定情報通知部１０５に渡す。すると、ＡＰ設定情報通知部１０５は、仮ＡＰ接続管理部１１１およびＨＧＷインタフェース部１０３を介して、当該ＡＰ設定情報をＨＧＷ２１０へ送信する（ステップＳ２３）。送信されたＡＰ設定情報をＨＧＷ２１０が受信すると、ＨＧＷ２１０は、後に図１０を用いて説明する処理を行う。
【００８１】
その後、動作モード制御部１０４は、ＨＧＷ動作状況受信部１０６がＨＧＷ２１０からＨＧＷインタフェース部１０３および仮ＡＰ接続管理部１１１を介してＡＰ設定情報受信完了通知を受信したかどうかを判定する（ステップＳ２４）。
【００８２】
ＭＲ１１０の動作モード制御部１０４は、ＨＧＷ動作状況受信部１０６を介して、ＡＰ設定情報受信完了通知を受けると、ＡＰ動作管理部１０８と仮ＡＰ接続管理部１１１へその旨を通知する。すると、ＡＰ動作管理部１０８は、ＡＰ動作を停止する（ステップＳ２５）。また、仮ＡＰ接続管理部１１１は、仮ＡＰとの接続を切断する（ステップＳ２６）。
【００８３】
続いて、ＡＰ接続管理部１１２は、ＡＰとして動作するＨＧＷ２１０と接続をする（ステップＳ２７）。ここで、ＡＰとして動作するＨＧＷ２１０との接続に必要な設定情報は、ＭＲ１１０自身が保有するＡＰ設定情報と同一であるため、自明である。動作モード制御部１０４は、ＡＰ接続管理部１１２を介して、ＨＧＷ２１０との接続状態を知ることができる。
【００８４】
また、動作モード制御部１０４は、電源管理部１０９へスリープ要求をする。電源管理部１０９は、スリープ要求を受けると、インターネットインタフェース部１０１およびＷＬＡＮインタフェース部１０２の電源をオフにする。また、電源管理部１０９は、図７に未記載のモジュールを含め、ＨＧＷ２１０の接続状態監視に必要なＨＧＷインタフェース部１０３、ＡＰ接続管理部１１２、ＨＧＷ接続状態監視部１０７および動作モード制御部１０４以外のモジュールの電源をオフにする。これにより、ＭＲ１１０はスリープ状態となる（ステップＳ２８）。
【００８５】
以上により、ＨＧＷ２１０がＭＲ１１０のＡＰ設定情報を用いてＡＰ動作を行い、且つ、ＭＲ１１０はスリープする、ＭＲ代替動作状態となる。
【００８６】
その後、ＨＧＷ接続状態監視部１０７は、ＡＰ接続管理部１１２を介して、ＨＧＷインタフェース部１０３とＨＧＷ２１０との接続が切断されたかどうかを監視する（ステップＳ２９）。ＨＧＷ接続状態監視部１０７は、ＨＧＷインタフェース部１０３とＨＧＷ２１０とが切断されたことを検出すると、その旨を動作モード制御部１０４へ通知する。動作モード制御部１０４は、切断通知を受けると、電源管理部１０９へスリープ状態の解除要求を行う。電源管理部１０９は、スリープ状態の解除要求を受けると、インターネットインタフェース部１０１およびＷＬＡＮインタフェース部１０２の電源をオンにする。また、電源管理部１０９は、図７に未記載のモジュールを含め、通常動作に必要な各モジュールの電源をオンにする。つまり、電源管理部１０９は、ステップＳ２８にてオフとされたモジュールの電源をオンにする。これにより、ＭＲ１１０のスリープ状態は解除される（ステップＳ３０）。
【００８７】
続いて、動作モード制御部１０４は、ＡＰ動作管理部１０８に対してＡＰ動作の再開要求を行う。ＡＰ動作管理部１０８は、ＷＬＡＮインタフェース部１０２を用いたＡＰ機能の提供（ＡＰ動作）を再開する（ステップＳ３１）。
【００８８】
その後、ＭＲ１１０は、再び通常動作に戻り、ステップＳ２１にて、仮ＡＰ接続管理部１１１により、仮ＡＰとして動作しているＨＧＷ２１０との接続を監視する状態となる。
【００８９】
次に、図６に示したＨＧＷ２１０における処理について説明する。ここでは、ＨＧＷ２１０がＭＲ１１０と接続され、ＭＲ１１０が行うＡＰ動作の代替動作（ＭＲ代替動作）を行い、その後、ＭＲ１１０との接続が切断され、通常動作に戻るまでの処理について説明する。
【００９０】
図１０は、図６に示した通信システムにおける通信方法のうち、図６に示したＨＧＷ２１０における処理を説明するためのフローチャートである。
【００９１】
まず、初期状態において、ＨＧＷ２１０はインターネット接続環境を擁する通常のホームゲートウェイの動作を行っている。また、仮ＡＰ動作管理部２１１は、無線ＬＡＮを用いてＭＲ１１０と接続するためのＨＧＷ−ＷＬＡＮ仮ＡＰ動作（仮ＡＰ動作）を開始する（ステップＳ４１）。そして、ＭＲ接続状態監視部２０７は、仮ＡＰ動作管理部２１１を介して、ＭＲ１１０が接続されたかどうかを監視する（ステップＳ４２）。ＭＲ接続状態監視部２０７は、仮ＡＰ動作管理部２１１により、ＭＲ１１０と接続されたことを検出すると、その旨を動作モード制御部２０４へ通知する。すると、動作モード制御部２０４は、ＡＰ設定情報受信部２０５がＭＲ１１０から仮ＡＰ動作管理部２１１を介してＡＰ設定情報を受信したかどうかを判定する（ステップＳ４３）。このＡＰ設定情報は、上述したステップＳ２３にてＭＲ１１０から送信されるものである。
【００９２】
ＡＰ設定情報受信部２０５は、仮ＡＰ動作管理部２１１を介してＭＲ１１０からＡＰ設定情報を受信すると、当該ＡＰ設定情報を動作モード制御部２０４へ渡す。すると、動作モード制御部２０４は、ＨＧＷ動作状況通知部２０６および仮ＡＰ動作管理部２１１を介して、ＭＲ−ＷＬＡＮ  ＡＰ設定情報受信完了通知（ＡＰ設定情報受信完了通知）をＭＲ１１０へ送信する（ステップＳ４４）。そして、仮ＡＰ動作管理部２１１は、仮ＡＰ動作を停止する（ステップＳ４５）。
【００９３】
また、動作モード制御部２０４は、当該ＡＰ設定情報をＡＰ動作管理部２０８へ渡す。ＡＰ動作管理部２０８は、ＷＬＡＮインタフェース部２０２を用いて、当該ＡＰ設定情報の設定でＡＰ動作を開始する（ステップＳ４６）。これにより、ＨＧＷ２１０が、ＭＲ１１０が保有していたＡＰ設定情報を用いてＡＰ機能を提供する状態となる。
【００９４】
その後、動作モード制御部２０４は、ＭＲ接続状態監視部２０７からＭＲ１１０との接続通知を待つ（ステップＳ４７）。ＭＲ接続状態監視部２０７は、ＡＰ動作管理部２０８を介してＭＲ１１０との接続状態を知ることができる。ＨＧＷ−ＷＬＡＮ  ＡＰ（無線ＬＡＮのＡＰとなっているＨＧＷ）は、通常の通信を行う無線ＬＡＮ端末も接続されるが、例えば、ＭＡＣ  Ａｄｄｒｅｓｓのような無線ＬＡＮ端末を識別できる一般的な技術を使うことにより、ＭＲ１１０であることの判別は容易にできる。
【００９５】
動作モード制御部２０４がＭＲ接続状態監視部２０７から接続通知を受けた後、ＭＲ接続状態監視部２０７は、ＡＰ動作管理部２０８を介して、ＭＲ１１０との接続が切断されたかどうかを監視する（ステップＳ４８）。利用者がＭＲ１１０をＨＧＷ２１０の通信圏４００外に移動させ、ＨＧＷ−ＷＬＡＮ  ＡＰとの接続が切断されることによって、ＭＲ接続状態監視部２０７は、ＨＧＷ２１０とＭＲ１１０との接続が切断されたことを検出する。ＭＲ接続状態監視部２０７は、ＡＰ動作管理部２０８を介して、ＭＲ１１０との接続が切断されたことを検出すると、その旨を動作モード制御部２０４へ通知する。動作モード制御部２０４は、切断通知を受けると、その旨をＡＰ動作管理部２０８へ通知する。ＡＰ動作管理部２０８は、ＭＲ１１０の切断通知を受けると、ＷＬＡＮインタフェース部２０２を用いて提供していたＨＧＷ−ＷＬＡＮ  ＡＰ機能（ＡＰ動作）を停止する（ステップＳ４９）。
【００９６】
その後、ＨＧＷ２１０は、再び通常動作に戻り、ステップＳ４１にて、無線ＬＡＮを用いてＭＲ１１０と接続するためのＨＧＷ−ＷＬＡＮ仮ＡＰ動作（仮ＡＰ動作）を開始させた上で、ステップＳ４２にて、ＭＲ接続状態監視部２０７により、ＭＲ１１０との接続を監視する状態となる。
【００９７】
このように、本実施例では、設定用のＷＬＡＮ仮ＡＰを使用することによって、ＨＧＷ２１０とＭＲ１１０とを有線接続することなくＭＲ代替動作をさせることができるという効果が得られる。
【００９８】
上記の実施の形態の一部または全部は、以下の付記のようにも記載され得るが、以下には限られない。
（付記１）ホームゲートウェイとモバイルルータと無線ＬＡＮ通信端末とを有する通信システムにおいて、
前記モバイルルータは、
当該モバイルルータが前記無線ＬＡＮ通信端末に対してアクセスポイントとして動作している場合、前記アクセスポイントとして動作するために必要なアクセスポイント設定情報を前記ホームゲートウェイへ通知する設定情報通知部と、
前記ホームゲートウェイから前記アクセスポイントとして動作を開始した旨を示す動作開始通知を受けると、前記アクセスポイントとしての動作を停止する第１のＡＰ動作管理部と、
前記ホームゲートウェイから前記動作開始通知を受けると、当該モバイルルータの電源をスリープ状態にする電源管理部とを有し、
前記ホームゲートウェイは、
前記設定情報通知部から、前記アクセスポイント設定情報が通知されると、該アクセスポイント設定情報を用いて、前記モバイルルータの代替となる前記アクセスポイントとして動作を開始する第２のＡＰ動作管理部と、
前記第２のＡＰ動作管理部が、前記アクセスポイントとして動作を開始すると、前記動作開始通知を前記モバイルルータへ通知する動作状況通知部とを有することを特徴とする通信システム。
（付記２）前記モバイルルータは、当該モバイルルータと前記ホームゲートウェイとの間の接続状態を監視するＨＧＷ接続状態監視部を有し、
前記設定情報通知部は、前記ＨＧＷ接続状態監視部が、当該モバイルルータと前記ホームゲートウェイとが接続されたことを検出した場合、前記アクセスポイント設定情報を前記ホームゲートウェイへ通知することを特徴とする、付記１に記載の通信システム。
（付記３）前記モバイルルータは、前記ホームゲートウェイと接続するＨＧＷインタフェース部を有し、
前記ＨＧＷ接続状態監視部は、前記ＨＧＷインタフェース部と前記ホームゲートウェイとの接続状態を監視することを特徴とする、付記２に記載の通信システム。
（付記４）前記ホームゲートウェイは、当該ホームゲートウェイと前記モバイルルータとの間の接続状態を監視するＭＲ接続状態監視部を有し、
前記第２のＡＰ動作管理部は、アクセスポイントとして動作している場合に、前記ＭＲ接続状態監視部が、当該ホームゲートウェイと前記モバイルルータとの接続が切断されたことを検出した場合、アクセスポイントとしての動作を停止し、
前記電源管理部は、前記電源がスリープ状態である場合に、前記ＨＧＷ接続状態監視部が、当該モバイルルータと前記ホームゲートウェイとの接続が切断されたことを検出した場合、前記スリープ状態を解除し、
前記第１のＡＰ動作管理部は、前記電源がスリープ状態である場合に、前記ＨＧＷ接続状態監視部が、当該モバイルルータと前記ホームゲートウェイとの接続が切断されたことを検出した場合、アクセスポイントとしての動作を再開することを特徴とする、付記２または付記３に記載の通信システム。
（付記５）前記ホームゲートウェイは、前記モバイルルータと接続するＭＲインタフェース部を有し、
前記ＭＲ接続状態監視部は、前記ＭＲインタフェース部と前記モバイルルータとの接続状態を監視することを特徴とする、付記４に記載の通信システム。
（付記６）前記設定情報通知部は、当該モバイルルータと通信を行っている通信端末との間でアクセスポイントとして動作するために必要なアクセスポイント設定情報を前記ホームゲートウェイへ通知することを特徴とする、付記１から５のいずれか１項に記載の通信システム。
（付記７）ホームゲートウェイであって、
モバイルルータから、無線ＬＡＮ通信端末に対してアクセスポイントとして動作するために必要なアクセスポイント設定情報が通知されると、該アクセスポイント設定情報を用いて、前記モバイルルータの代替となる前記アクセスポイントとして動作を開始するＡＰ動作管理部と、
前記ＡＰ動作管理部が、前記アクセスポイントとして動作を開始すると、前記アクセスポイントとして動作を開始した旨を示す動作開始通知を前記モバイルルータへ通知する動作状況通知部とを有するホームゲートウェイ。
（付記８）モバイルルータであって、
当該モバイルルータが無線ＬＡＮ通信端末に対してアクセスポイントとして動作している場合、前記アクセスポイントとして動作するために必要なアクセスポイント設定情報をホームゲートウェイへ通知する設定情報通知部と、
前記ホームゲートウェイから前記アクセスポイントとして動作を開始した旨を示す動作開始通知を受けると、前記アクセスポイントとしての動作を停止するＡＰ動作管理部と、
前記ホームゲートウェイから前記動作開始通知を受けると、当該モバイルルータの電源をスリープ状態にする電源管理部とを有するモバイルルータ。
（付記９）ホームゲートウェイとモバイルルータと無線ＬＡＮ通信端末とを有する通信システムにおける通信方法であって、
前記モバイルルータが、当該モバイルルータが前記無線ＬＡＮ通信端末に対してアクセスポイントとして動作している場合、前記アクセスポイントとして動作するために必要なアクセスポイント設定情報を前記ホームゲートウェイへ通知する処理と、
前記ホームゲートウェイが、前記モバイルルータから、前記アクセスポイント設定情報が通知されると、該アクセスポイント設定情報を用いて、前記モバイルルータの代替となる前記アクセスポイントとして動作を開始する処理と、
前記ホームゲートウェイが、前記アクセスポイントとして動作を開始すると、前記アクセスポイントとして動作を開始した旨を示す動作開始通知を前記モバイルルータへ通知する処理と、
前記モバイルルータが、前記ホームゲートウェイから前記動作開始通知を受けると、前記アクセスポイントとしての動作を停止する処理と、
前記モバイルルータが、前記ホームゲートウェイから前記動作開始通知を受けると、当該モバイルルータの電源をスリープ状態にする処理とを行う通信方法。
【符号の説明】
【００９９】
１００，１１０    ＭＲ
１０１，２０１    インターネットインタフェース部
１０２，２０２    ＷＬＡＮインタフェース部
１０３    ＨＧＷインタフェース部
１０４，２０４    動作モード制御部
１０５    ＡＰ設定情報通知部
１０６    ＨＧＷ動作状況受信部
１０７    ＨＧＷ接続状態監視部
１０８，２０８    ＡＰ動作管理部
１０９    電源管理部
１１１    仮ＡＰ接続管理部
１１２    ＡＰ接続管理部
２００，２１０    ＨＧＷ
２０３    ＭＲインタフェース部
２０５    ＡＰ設定情報受信部
２０６    ＨＧＷ動作状況通知部
２０７    ＭＲ接続状態監視部
２１１    仮ＡＰ動作管理部
３００    端末
４００    通信圏
５００    インターネット
【図１】
2014090304.tif 000003
【図２】
2014090304.tif 000004
【図３】
2014090304.tif 000005
【図４】
2014090304.tif 000006
【図５】
2014090304.tif 000007
【図６】
2014090304.tif 000008
【図７】
2014090304.tif 000009
【図８】
2014090304.tif 000010
【図９】
2014090304.tif 000011
【図１０】
2014090304.tif 000012